(57)【要約】
　　【課題】テニスやゴルフにおける正しい握り方を簡単且つ確実に習得可能とする。
　　【解決手段】グリップ支援装置１は、手の指の間に配置されるブロック状の弾性スペーサ部材２と、弾性スペーサ部材２の指が当たる面３，４から引き出されて両側の指に掛けるループ状弾性紐５，６とを備える。手のひとさし指と中指の間に弾性スペーサ部材２を挟み、輪ゴムを通したループ状弾性紐５，６を両側の指に掛け、この状態でグリップを握ると正しい握りが出来、そのまま打球できる。
　　【選択図】　　　図１
0003099099.tif 000002
【実用新案登録請求の範囲】
【請求項１】
　指の間に配置されるブロック状の弾性スペーサ部材と、前記弾性スペーサ部材の指が当たる各面から引き出されて両側の指に掛けるループ状の弾性紐とを備えたことを特徴とするグリップ支援装置。
【請求項２】
　請求項１記載のグリップ支援装置に於いて、前記弾性スペーサ部材は指が当たる面に貫通した通し穴に前記ループ状の弾性紐として輪ゴムを通したことを特徴とするグリップ支援装置。
【請求項３】
　請求項２記載のグリップ支援装置に於いて、前記輪ゴムを通した固定部材を前記スペーサ部材の通し穴に挿入保持させたことを特徴とするグリップ支援装置。
【考案の詳細な説明】
【技術分野】
【０００１】
　本考案は、テニスラケットやゴルフクラブを正しく握れるように支援するグリップ支援装置に関する。
【背景技術】
【０００２】
　テニスを始めるうえで、正しいグリップを覚えることは、非常に重要なことである。正しいグリップについては、「なるべく手のひら全体でラケットを感じられるように大きく握りなさい」とか、「握手をするように握りなさい」とか指導されているが、これが絶対正しいグリップだというものがあるわけではない。
【０００３】
　通常、好ましいグリップといわれているものは、じゃんけんのパーの状態でグリップを握っていき、ひとさし指と中指との間隔が大きく開いている形であるといえる。
【考案の開示】
【考案が解決しようとする課題】
【０００４】
　しかしながら、初めてラケットを持つ人にとっては、従来指導されているラケットの握り方は自然なものとはいえず、まして握力の弱い人はなかなか正しい握り方ができず、中級・上級レベルの人でも、正しく握れない場合がある。このような問題は、ゴルフクラブの握り方についても同様に生じている。
【０００５】
　本考案は、テニスやゴルフにおける正しい握り方を簡単且つ確実に習得可能とするグリップ支援装置を提供することを目的とする。
【課題を解決するための手段】
【０００６】
　この目的を達成するため本考案は次のように構成する。本考案のグリップ支援装置は、手の指の間に配置されるブロック状の弾性スペーサ部材と、弾性スペーサ部材の指が当たる各面から引き出されて両側の指に掛けるループ状の弾性紐とを備えたことを特徴とする。
【０００７】
　本考案のグリップ支援装置の具体的な形態にあっては、弾性スペーサ部材の指が当たる面に貫通した通し穴にループ状の弾性紐として輪ゴムを通したことを特徴とする。また、輪ゴムを通した固定部材をスペーサ部材の通し穴に挿入保持させるようにしても良い。
【０００８】
　このような本考案のグリップ支援装置によれば、右利きの場合には、右手のひとさし指と中指の間の付け根付近に弾性スペーサ部材を挟み込んでループ状の弾性紐、具体的にはゴム紐をひとさし指と中指に掛け、この状態で例えばテニスラケットを握ると、じゃんけんのパーの状態でグリップを握っていった場合と同様に、ひとさし指と中指との間隔が弾性スペーサ部材の介在によって大きく開いている好ましい握り方の形を作り出すことができる。
【０００９】
　しかも、本考案のグリップ支援装置は手に装着してラケットを握った状態でそのまま打球することができ、単に握り方を練習するというものではなく、正しいグリップを作り出すと同時に打球感を覚え、養うことができる。
【００１０】
　この点はゴルフクラブの握り方についても同じであり、右利きであれば、右手のひとさし指と中指の間の付け根付近に弾性スペーサ部材を挟み込んでゴム紐をひとさし指と中指に掛け、この状態で左手に添えて右手でゴルフクラブを握ると、じゃんけんのパーの状態でグリップを握っていった場合と同様に、ひとさし指と中指との間隔が弾性スペーサ部材の介在によって大きく開いていた状態で握れるという好ましい握り方の形を作り出すことができ、そのままスイングしてボールを打つことができる。
【考案の効果】
【００１１】
　以上説明したように本考案のグリップ支援装置によれば、手のひとさし指と中指の間の付け根付近に弾性スペーサ部材を挟み込んでループ状の弾性紐、具体的にはゴム紐を両側の指に掛け、この状態でテニスラケットやゴルフクラブを握ると、じゃんけんのパーの状態でグリップを握っていった場合と同様に、ひとさし指と中指との間隔が弾性スペーサ部材の介在によって大きく開いている好ましい握り方の形を作り出すことができる。しかも、本考案のグリップ支援装置は手に装着して握った状態でそのまま打球することができ、単に握り方を練習するというものではなく、正しいグリップを作り出すと同時に打球感を覚え、養うことができる。
【考案を実施するための最良の形態】
【００１２】
　図１は、本考案によるグリップ支援装置の実施形態を示した説明図である。図１において、本考案のグリップ支援装置１は、指の間に配置されるブロック状の弾性スペーサ部材２と、弾性スペーサ部材２の指を当てる面３，４から引き出されて両側の指に掛けるループ状の弾性紐５，６とを備える。
【００１３】
　この実施形態では弾性紐５，６として輪ゴムを使用しており、弾性スペーサ部材２に形成した通し穴７に輪ゴムを通すことでループ状の弾性紐５，６を形成している。
【００１４】
　弾性スペーサ部材２は硬質ウレタンフォームやウレタンゴム等の軽量且つ強靭で、形状保持性とある程度の弾力性をもつ材料を使用している。また硬質ウレタンフォームは、加工性も良く、矩形柱状の素材を指に合ったサイズにカットして通し穴７を空け、これに輪ゴム通してループ状弾性紐５，６とすることで作り出すことができ、量産性に優れている。
【００１５】
　また通し穴７に輪ゴムを通して形成されたループ状弾性紐５，６は、そのままでは抜けてしまうことから、通し穴７の中で接着剤で固定しておくことが望ましい。
【００１６】
　次に本考案によるグリップ支援装置の使い方をテニスラケットを例にとって説明する。図２はテニスラケット８における正しいフォアハンドグリップであり、ひとさし指９と中指１０との間隔が大きく開いた形となっている。
【００１７】
　図３はフォアハンドグリップとしては好ましくないグリップの例であり、テニスラケット８を握った際にひとさし指９と中指１０がくっついている。
【００１８】
　図４は本考案のグリップ支援装置１を装着した状態であり、弾性スペーサ部材２をひとさし指９と中指１０の第１関節の下側付近に挟み込み、輪ゴムを用いたループ状弾性紐５，６をひとさし指と中指９，１０に嵌める。
【００１９】
　この状態で図５のようにテニスラケット８を握ると、弾性スペーサ部材２の介在によってひとさし指９と中指１０との間隔が大きく開いた形となり、図２の正しいフォアハンドグリップと同じ握りをえることができる。
【００２０】
　しかも、本考案のグリップ支援装置１は、図５のように手につけたままテニスラケット８を握っても、握りそのものは何ら妨げられることはなく、つけたまま通常通り打球することができる。
【００２１】
　次に本考案によるグリップ支援装置の使い方をゴルフクラブを例にとって説明する。図６はゴルフクラブ１１における正しいグリップであり、図７のように上にあげてみると、ひとさし指９と中指１０との間隔が大きく開いた形となっている。
【００２２】
　図８は好ましくないグリップの例であり、ゴルフクラブ１１を握った際にひとさし指９と中指１０がくっついている。
【００２３】
　図９は本考案のグリップ支援装置１を装着した状態であり、弾性スペーサ部材２をひとさし指９ｓ中指１０の第１関節の下側付近に挟み込み、輪ゴムを用いたループ状弾性紐５，６をひとさし指９と中指１０に嵌める。
【００２４】
　この状態で図１０のようにゴルフクラブ１１を握ると、弾性スペーサ部材２の介在によって、ひとさし指９と中指１０との間隔が大きく開いた形となり、図７のと同じ正しい握り方ができる。
【００２５】
　しかも、本考案のグリップ支援装置１は、図１０のように手につけたままゴルフクラブ１１を握っても、握りそのものは何ら妨げられることはなく、つけたままで通常通りスイングして打球することができる。
【００２６】
　図１１は本発明によるグリップ支援装置の他の実施形態であり、弾性スペーサ部材２の指の当たる面を湾曲面１２，１３とし、打球による衝撃が加わっても弾性スペーサ部材２をずれにくくしている。また湾曲面１２，１３に指が当たることで、指ずれによるマメなどができにくい。
【００２７】
　図１２は本発明によるグリップ支援装置の他の実施形態であり、弾性スペーサ部材２の指の当たる面の間隔を指の付け根に向かうほど狭めたテーパー面１４，１５とし、このように楔形とすることで、指の当たり具合を滑らかにし、指の間に挟んだ際の違和感を少なくして使い易くしている。
【００２８】
　図１３は本発明によるグリップ支援装置の他の実施形態であり、図１３（Ａ）のグリップ支援装置１において、弾性スペーサ部材２の通し穴７に対するループ状弾性紐５，６の装着を、固定ロッド１６を用いて行うようにしたことを特徴とする。
【００２９】
　このため、この実施形態にあっては、図１３（Ｂ）の通し穴７を備えた弾性スペーサ部材２と、図１３(Ｃ)の固定ロッド１６に輪ゴムを通して両側をループ状弾性紐５，６とした取付け紐１８との２部品としている。
【００３０】
　このように２部品に分かれる本考案のグリップ支援装置は、図１３（Ａ）の完成品としてユーザに提供する以外に、図１３（Ｂ）の弾性スペーサ部材２と図１３（Ｃ）の取付け紐１８を交換部品として提供することができる。
【００３１】
　即ち、図１３（Ｂ）の弾性スペーサ部材２としては、間隔の異なるものを複数種類準備しておき、これに対し図１３（Ｃ）の取付け紐１８は共通部品として使用することできる。また弾性スペーサ部材２は使用している内に変形したり、汗などで汚れたりすることから、使えなくなったものから取付け紐１８を外し、新しい弾性スペーサ部材２に取付けて使用するといった使い方ができる。
【００３２】
　図１４は２部品から構成される本考案のグリップ支援装置の他の実施形態であり、取付け紐１８として球体１９に輪ゴムを通してループ状弾性紐５，６を形成しており、弾性スペーサ部材２の通し穴７に対する対する取付け紐１８の着脱が球体１９であることから、スムースにできる。
【００３３】
　図１５は２部品から構成される本考案のグリップ支援装置の他の実施形態であり、取付け紐１８として紡錘体２０に輪ゴムを通してループ状弾性紐５，６を形成しており、弾性スペーサ部材２の通し穴７に対する取付け紐１８の着脱が球体１９と同様にスムースにできると同時に、紡錘体２０であることから、取り付け強度を高くできる。
【００３４】
　なお、本考案は上記の実施形態に限定されず、その目的と利点を損なうことのない適宜の変形を含む。また本考案のグリップ支援装置は、指に装着して使用するに適切な寸法サイズをもつものであり、ユーザの手のサイズに応じ、大・中・小に分けて提供される。
【図面の簡単な説明】
【００３５】
【図１】本考案によるグリップ支援装置の実施形態を示した説明図
【図２】テニスラケットにおける正しいフォアハンドグリップの説明図
【図３】フォアハンドグリップとしては好ましくないグリップの説明図
【図４】本発明のグリップ支援装置を手につけた説明図
【図５】本発明のグリップ支援装置を手につけてテニスラケットを握った説明図
【図６】ゴルフクラブにおける正しいグリップの説明図
【図７】ゴルフクラブにおける正しいグリップを手を上げて示した説明図
【図８】好ましくないゴルフクラブのグリップの説明図
【図９】本発明のグリップ支援装置を手につけた説明図
【図１０】本発明のグリップ支援装置を手につけてゴルフクラブを握った説明図
【図１１】指の当たる面を湾曲面とした本考案によるグリップ支援装置の他の実施形態の説明図
【図１２】指の当たる面を楔形とした本考案によるグリップ支援装置の他の実施形態の説明図
【図１３】２部品に分けて構成した本考案によるグリップ支援装置の実施形態の説明図
【図１４】２部品に分けて構成した本考案によるグリップ支援装置の他の実施形態の説明図
【図１５】２部品に分けて構成した本考案によるグリップ支援装置の他の実施形態の説明図
【符号の説明】
【００３６】
１：グリップ支援装置
２：弾性スペーサ部材
３，４：指の当たる面
５，６：ループ状弾性紐
７：通し穴
８：テニスラケット
９：ひとさし指
１０：中指
１１：ゴルフクラブ
１２，１３：湾曲面
１４，１５：テーパー面
１６：固定ロッド
１８：取付け紐
１９：球体
２０：紡錘体
【図１】
0003099099.tif 000003
【図２】
0003099099.tif 000004
【図３】
0003099099.tif 000005
【図４】
0003099099.tif 000006
【図５】
0003099099.tif 000007
【図６】
0003099099.tif 000008
【図７】
0003099099.tif 000009
【図８】
0003099099.tif 000010
【図９】
0003099099.tif 000011
【図１０】
0003099099.tif 000012
【図１１】
0003099099.tif 000013
【図１２】
0003099099.tif 000014
【図１３】
0003099099.tif 000015
【図１４】
0003099099.tif 000016
【図１５】
0003099099.tif 000017